(57)【特許請求の範囲】
【請求項１】
被写体像を撮像して画像データを生成する撮像部と、
ユーザ操作をそれぞれ入力する複数の操作部材と、
前記複数の操作部材においてユーザ操作を無効とするロック状態を設定する制御部と、
情報を表示する表示部とを備え、
前記制御部は、
自装置において前記複数の操作部材が配置された各々の位置の識別表示を示す複数の位置マーカを表示するように前記表示部を制御し、
前記複数の位置マーカから特定の位置マーカを選択するユーザ操作に基づき、選択された位置マーカに対応する操作部材が前記ロック状態に設定される対象か否かを切り替える撮像装置。
【請求項２】
各操作部材が、前記ロック状態に設定される対象か否かの組み合わせをそれぞれ示す複数のロックパターンの中から、一のロックパターンを選択する選択部をさらに備え、
前記制御部は、
前記選択部によって選択された前記ロックパターンを前記表示部に表示させ、
前記表示部に表示された前記ロックパターンを用いたユーザ操作に基づき前記操作部材毎にロック対象又はアンロック対象を設定する
請求項１に記載の撮像装置。
【請求項３】
前記選択部は、前記複数のロックパターンに対応する複数の選択肢を含む設定画面が前記表示部に表示された状態で入力されるユーザ操作に応じて、前記一のロックパターンを選択する
請求項２に記載の撮像装置。
【請求項４】
前記選択部は、前記複数のロックパターンにそれぞれ対応付けられた複数の撮影モードの中から一の撮影モードを選択するユーザ操作に応じて、選択された撮影モードに対応付けられたロックパターンを選択する
請求項２に記載の撮像装置。
【請求項５】
情報を格納する記憶部をさらに備え、
前記制御部は、前記複数の操作部材における個々の操作部材が前記ロック状態に設定されるか否かを指示するユーザ操作を受け付けて、当該ユーザ操作に応じて編集されたロックパターンを前記記憶部に記録する
請求項２に記載の撮像装置。
【請求項６】
前記制御部は、前記記憶部に格納されたロックパターンから別のロックパターンを編集する操作、及び編集中のロックパターンを所定のロックパターンにリセットする操作を受け付ける
請求項５に記載の撮像装置。
【請求項７】
前記位置マーカは、前記操作部材がロック対象又はアンロック対象の何れか一方に設定される状態を示すロックアイコンと、前記操作部材の位置と前記ロックアイコンとを繋ぐ引き出し線とを含む
請求項１に記載の撮像装置。
【請求項８】
前記表示部は、複数のロックアイコンの間で移動可能なフォーカス領域を表示し、
前記フォーカス領域を合わせた前記ロックアイコンは、前記ロック対象又はアンロック対象を切り替えるユーザ操作を受け付ける
請求項７に記載の撮像装置。
【発明の詳細な説明】
【技術分野】
【０００１】
本開示は、ユーザによる操作を無効とする機能を有する撮像装置に関する。
【背景技術】
【０００２】
特許文献１は、操作部材の有効、無効の設定が行える撮像装置を開示している。この撮像装置は、メインダイヤル、サブダイヤル及びマルチコントローラという複数の操作部材のそれぞれについて、ロック状態にした際に操作無効とする対象とするか否かを設定している。ロック状態の際に、操作無効とする対象に設定された操作部材が操作されたことに応じて、該操作された操作部材に割り当てられた機能に関する情報を表示している表示領域に、該操作が無効である旨の警告が表示される。
【先行技術文献】
【特許文献】
【０００３】
【特許文献１】特開２０１２−１８９８８３号公報
【発明の概要】
【発明が解決しようとする課題】
【０００４】
本開示は、種々の状況における誤操作の抑制を行い易くすることができる撮像装置を提供する。
【課題を解決するための手段】
【０００５】
本開示において、撮像装置は、被写体像を撮像して画像データを生成する撮像部と、ユーザ操作をそれぞれ入力する複数の操作部材と、複数の操作部材においてユーザ操作を無効とするロック状態を設定する制御部と、情報を表示する表示部とを備える。制御部は、自装置において複数の操作部材が配置された各々の位置の識別表示を示す複数の位置マーカを表示するように表示部を制御し、複数の位置マーカから特定の位置マーカを選択するユーザ操作に基づき、選択された位置マーカに対応する操作部材がロック状態に設定される対象か否かを切り替える。
【発明の効果】
【０００６】
本開示における撮像装置によると、種々の状況における誤操作の抑制を行い易くすることができる。
【図面の簡単な説明】
【０００７】
【図１】本開示の実施形態１に係るデジタルカメラの構成を示すブロック図
【図２】デジタルカメラの背面図
【図３】デジタルカメラにおけるカメラ本体の平面図
【図４】デジタルカメラにおけるカメラ本体の前面図
【図５】実施形態１におけるロックパターン情報を説明するための図
【図６】デジタルカメラにおけるロックパターンの選択動作を説明するためのフローチャート
【図７】実施形態１におけるロックパターンの選択動作の表示例を示す図
【図８】実施形態１におけるロックパターンの編集動作を説明するためのフローチャート
【図９】ロックパターンの詳細画面の第１の表示例を示す図
【図１０】ロックパターンの詳細画面の第２の表示例を示す図
【図１１】ロックパターンの詳細画面の第３の表示例を示す図
【図１２】デジタルカメラにおける操作ロック機能の切替処理を説明するためのフローチャート
【図１３】操作ロック機能の切替処理における表示例を示す図
【図１４】デジタルカメラにおける操作ロック処理を説明するためのフローチャート
【図１５】操作ロック処理における表示例を示す図
【図１６】ロックパターンの選択動作の変形例を説明するための図
【図１７】ロックパターンの編集動作の変形例を説明するための図
【図１８】ロックパターンの編集動作の変形例を示すフローチャート
【発明を実施するための形態】
【０００８】
以下、本開示における実施の形態を、図面を適宜参照しながら説明する。ただし、詳細な説明において、従来技術および実質的に同一の構成に関する説明のうち不必要な部分は省略されることもある。これは、説明を簡単にするためである。また、以下の説明および添付の図面は、当業者が本開示を充分に理解できるよう開示されるのであって、特許請求の範囲の主題を限定することを意図されていない。
【０００９】
（実施形態１）
以下では、本開示に係る撮像装置の一実施形態であるデジタルカメラの構成および動作について説明する。
【００１０】
１．構成
図１は、実施形態１に係るデジタルカメラ１の構成を示すブロック図である。本実施形態のデジタルカメラ１は、カメラ本体１００とそれに着脱可能な交換レンズ２００とから構成される。
【００１１】
１−１．カメラ本体
カメラ本体１００（撮像装置の一例）は、画像センサ１１０と、表示モニタ１２０と、操作部１３０と、カメラ制御部１４０と、ＲＡＭ１４１と、フラッシュメモリ１４２と、ボディマウント１５０と、電源１６０と、カードスロット１７０とを備える。
【００１２】
画像センサ１１０は、交換レンズ２００を介して入射される被写体像を撮像して画像データを生成する素子である。画像センサ１１０は、例えばＣＭＯＳイメージセンサである。生成された画像データは、ＡＤコンバータ１１１でデジタル化される。デジタル化された画像データは、カメラ制御部１４０により所定の画像処理が施される。所定の画像処理とは、例えば、ガンマ補正処理、ホワイトバランス補正処理、キズ補正処理、ＹＣ変換処理、電子ズーム処理、ＪＰＥＧ圧縮処理である。画像センサ１１０は、ＣＣＤまたはＮＭＯＳイメージセンサ等であってもよい。
【００１３】
画像センサ１１０は、タイミング発生器１１２により制御されるタイミングで動作する。画像センサ１１０は、記録用の静止画像もしくは動画像またはスルー画像を生成する。スルー画像は、主に動画像であり、ユーザが静止画像の撮像のための構図を決めるために表示モニタ１２０に表示される。
【００１４】
表示モニタ１２０は、スルー画像等の画像およびメニュー画面等の種々の情報を表示する表示部の一例である。表示モニタ１２０は、例えば、液晶ディスプレイデバイスまたは有機ＥＬデバイス等の各種表示デバイスで構成できる。表示モニタ１２０に加えて、又はこれに代えて、デジタルカメラ１は、例えばカメラ本体１００において別の表示部の一例である電子式ビューファインダ（ＥＶＦ）等を備えてもよい。
【００１５】
操作部１３０は、ユーザからの操作（指示）を受け付けるユーザインタフェースの総称である。操作部１３０は、ユーザ操作を受け付けると、ユーザ操作に応じた各種指示を示す操作信号をカメラ制御部１４０に送信する。操作部１３０は、例えば物理的なボタン、レバー、ダイヤル、タッチパネル、スイッチ等を含む。また、操作部１３０は、表示モニタ１２０上に表示される仮想的なボタンやアイコンも含んでもよい。操作部１３０の具体例については後述する。
【００１６】
カメラ制御部１４０は、操作部１３０からの指示に応じて、画像センサ１１０等の構成要素を制御することでデジタルカメラ１全体の動作を制御する。カメラ制御部１４０は、垂直同期信号をタイミング発生器１１２に送信する。これと並行して、カメラ制御部１４０は、垂直同期信号に同期した同期信号を生成し、この同期信号を、ボディマウント１５０及びレンズマウント２５０を介して、レンズ制御部２３０に送信する。カメラ制御部１４０は、制御動作や画像処理動作の際に、ＲＡＭ１４１をワークメモリとして使用する。
【００１７】
フラッシュメモリ１４２は、カメラ制御部１４０が制御を行う際に使用するプログラムやパラメータを保存する。
【００１８】
ボディマウント１５０は、交換レンズ２００のレンズマウント２５０と機械的及び電気的に接続可能である。ボディマウント１５０は、レンズマウント２５０を介して、交換レンズ２００との間で、データを送受信可能である。ボディマウント１５０は、カメラ制御部１４０から受信した露光同期信号を、レンズマウント２５０を介してレンズ制御部２３０に送信する。
【００１９】
また、ボディマウント１５０は、カメラ制御部１４０から受信したその他の制御信号を、レンズマウント２５０を介してレンズ制御部２３０に送信する。また、ボディマウント１５０は、レンズマウント２５０を介してレンズ制御部２３０から受信した信号をカメラ制御部１４０に送信する。また、ボディマウント１５０は、電源１６０からの電力を、レンズマウント２５０を介して交換レンズ２００全体に供給する。
【００２０】
電源１６０は、デジタルカメラ１内の各要素に電力を供給する回路である。
【００２１】
カードスロット１７０は、メモリカード１７１を装着可能であり、カメラ制御部１４０からの制御に基づいてメモリカード１７１を制御する。デジタルカメラ１は、メモリカード１７１に対して画像データを格納したり、メモリカード１７１から画像データを読み出したりすることができる。
【００２２】
１−２．交換レンズ
図１に示すように、交換レンズ２００は、フォーカスレンズ２１０と、フォーカスレンズ駆動部２１１と、フォーカスリング２１２と、ズームレンズ２２０と、ズームレンズ駆動部２２１と、ズームリング２２２と、レンズ制御部２３０と、ＲＡＭ２３１と、フラッシュメモリ２３２と、レンズマウント２５０とを備える。交換レンズ２００は、図１に示すレンズに加えて手振れ補正用レンズをさらに備えてもよい。
【００２３】
フォーカスリング２１２及びズームリング２２２は、それぞれ交換レンズ２００に設けられた操作部材の一例である。交換レンズ２００の操作部材はこれに限らず、例えば外装に設けられたボタン等を含んでもよい。
【００２４】
レンズ制御部２３０は交換レンズ２００全体の動作を制御する。レンズ制御部２３０は、ハードワイヤードな電子回路で構成してもよいし、プログラムを実行するマイクロコンピュータなどで構成してもよい。
【００２５】
ＲＡＭ２３１は、レンズ制御部２３０が制御の際に用いるワークメモリとして機能する。フラッシュメモリ２３２は、レンズ制御部２３０の制御の際に使用するプログラムやパラメータ、レンズデータ等を格納する。
【００２６】
ズームレンズ２２０は、交換レンズ２００の光学系で形成される被写体像の倍率を変化させるためのレンズである。ズームレンズ２２０のレンズ構成は何枚でも何群でもよい。
【００２７】
ズームレンズ駆動部２２１は、ユーザによるズームリング２２２の操作に基づいて、ズームレンズ２２０を光学系の光軸に沿って移動させる機械的な機構である。ズームレンズ２２０の位置は随時ズームレンズ位置検出部２２３により検出され、レンズ制御部２３０に通知される。
【００２８】
フォーカスレンズ２１０は、光学系から入射され画像センサ１１０上に形成される被写体像のフォーカス状態を変化させるためのレンズである。フォーカスレンズ２１０のレンズ構成は何枚でも何群でもよい。
【００２９】
フォーカスリング２１２は交換レンズ２００の外装に設けられている。フォーカスリング２１２がユーザによって操作されると、フォーカスリング２１２の操作量に関する情報がレンズ制御部２３０に通知される。レンズ制御部２３０は、通知されたフォーカスリング２１２の操作量に関する情報に基づいて、フォーカスレンズ駆動部２１１を制御して、フォーカスレンズ２１０を駆動する。このため、レンズ制御部２３０はフォーカスレンズ２１０の位置を認識している。
【００３０】
フォーカスレンズ駆動部２１１は、レンズ制御部２３０の制御に基づいてフォーカスレンズ２１０を光学系の光軸に沿って進退するように駆動する。フォーカスレンズ駆動部２１１は、例えばステッピングモータ、ＤＣモータ、超音波モータ等により実現できる。
【００３１】
１−３．操作部について
デジタルカメラ１のカメラ本体１００における操作部１３０の具体例を、図２〜４を用いて説明する。図２は、デジタルカメラ１００の背面を示した図である。図３は、カメラ本体１００を上側から見た平面図を示す。図４は、カメラ本体１００の前面図を示す。
【００３２】
図２では、カメラ本体１００の操作部１３０の例として、タッチパネル３００とその周囲に設けられた各種操作部材を例示している。例えば、カメラ本体１００において図２中で右側に設けられた操作部材は、選択キー３１０、コントロールホイール３１３、ジョイスティック３１５、後ダイヤル３２１、Ｑボタン３３１、ＤＩＳＰボタン３３２、リターンボタン３３３、及びＦｎボタン３４１を含む。さらに、図２中で上側には、再生ボタン３３４、ＡＦモードボタン３３５、撮影モードダイヤル３５１、駆動モードダイヤル３５２、フォーカスレバー３６１及びロックレバー３６０が設けられている。
【００３３】
図３に示すように、カメラ本体１００は、ユーザが撮影中に右手等で把持するための構造であるグリップ１０１を備える。上述した図２中で右側の各種操作部材は、それぞれグリップ１０１周りの操作部材の一例である。さらに、グリップ１０１周りには図３に示すように、シャッタボタン３７０、ＷＢボタン３３６、ＩＳＯボタン３３７、露出補正ボタン３３８、動画ボタン３８１、及びモードダイヤル３５３が設けられている。グリップ１０１周りの操作部材は、さらに、図４に示すように前ダイヤル３２０を含む。
【００３４】
また、図３，４に示すように、グリップ１０１から離れた位置に、ＥＶＦボタン３３９、Ｆｎボタン３４２，３４３、動画ボタン３８２、及びレンズ取り外しボタン３７２が設けられている。又、デジタルカメラ１には、電源１６０をオン／オフするための電源ボタン（不図示）がさらに設けられる。
【００３５】
シャッタボタン３７０は、二段押下式のボタンである。シャッタボタン３７０がユーザにより半押し操作されると、カメラ制御部１４０はオートフォーカス制御（ＡＦ制御）やオート露出制御（ＡＥ制御）などを実行する。また、シャッタボタン３７０がユーザにより全押し操作されると、カメラ制御部１４０は、押下操作のタイミングに撮像された画像データを静止画の記録画像としてメモリカード１７２等に記録する。
【００３６】
選択キー３１０は、上下左右方向に設けられた押下式の方向ボタン３１１及び中央に設けられた押下式のＳＥＴボタン３１２を含む。ユーザは、上下左右方向のいずれかの方向ボタン３１１を押下することにより、表示モニタ１２０に表示される各種条件項目を選択するための領域等を移動できる。デジタルカメラ１が撮影モードあるいは再生モードにあるときに、ＳＥＴボタン３１２がユーザにより押下されると、カメラ制御部１４０は表示モニタ１２０にメニュー画面を表示する。メニュー画面は、撮影／再生のための各種条件を設定するための画面である。ＳＥＴボタン３１２が各種条件の設定項目が選択されているときに押下されると、カメラ制御部１４０は、選択された項目の設定を確定する。
【００３７】
コントロールホイール３１３は、選択キー３１０の周囲に設けられ、回転可能な操作部材である。ジョイスティック３１５は、その向きを傾ける操作により選択キー３１０における方向ボタン３１１と同様の機能を実現し、ジョイスティック３１５を押し込む操作によりＳＥＴボタン３１２と同様の機能を実現する操作部材である。
【００３８】
各種の押下式ボタン３３１〜３３９，３４１〜３４３，３８１〜３８２には、各々にデジタルカメラ１の各種機能が割り当てられる。例えば、再生ボタン３３４には再生モードに移行する機能を有する。又、Ｆｎボタン３４１〜３４３は、メニュー設定などによりユーザが所望の機能を各々に割り当て可能であり、物理的なファンクションボタンの一例である。例えば、Ｆｎボタン３４１にはＡＦモードをＯＮする機能が割り当てられる。又、動画ボタン３８１，３８２は、共に動画の撮影記録を開始／終了する機能を有する。
【００３９】
タッチパネル３００は、表示モニタ１２０の表示画面と重畳して配置され、ユーザの指による表示画面上へのタッチ操作を検出する。これにより、ユーザは、表示モニタ１２０に表示された画像に対する領域の指定、メニュー画面上の各種選択等の操作を行える。
【００４０】
表示モニタ１２０には、例えば仮想的なＦｎボタン４０が表示される。仮想的なＦｎボタン４０には、物理的なＦｎボタン３４１〜３４３と同様に、それぞれ独立して各種機能を割り当て可能である。仮想的なＦｎボタン４０の操作は、例えばタッチパネル３００のタッチ操作で行える。
【００４１】
各種モードダイヤル３５１〜３５３は、段階的な回転式の操作部材であり、デジタルカメラ１００における各種モードの設定に利用可能である。前／後ダイヤル３２０，３２１は、連続的な回転式の操作部材であり、各種のパラメータ調整に利用可能である。
【００４２】
各種レバー３６０，３６１は、操作された状態を示す物理位置を段階的に有する操作部材である。ロックレバー３６０は、後述する操作ロック機能を有効にするＯＮ状態または無効にするＯＦＦ状態を切り替える操作部材すなわちロック部材の一例である。ロック部材は、レバー式に限らず、例えば押下式ボタンで構成されてもよい。
【００４３】
２．動作
以上のように構成されるデジタルカメラ１の動作について、以下説明する。
【００４４】
本実施形態におけるデジタルカメラ１の操作ロック機能に関する動作の概要を説明する。本実施形態のデジタルカメラ１は、操作部１３０等の各種の操作部材においてユーザ操作が無効となるロック状態を制御する機能である操作ロック機能を有する。
【００４５】
デジタルカメラ１には、操作ロック機能においてロック状態とする操作部材が予め設定される。ロックレバー３６０がＯＮ状態になると、デジタルカメラ１は、操作ロック機能を有効としてロック状態の制御を実行する。こうした操作ロック機能では、各種撮影の状況に応じて誤操作が生じ得る操作部材が異なり、ユーザがどの操作部材をロック状態にしたいかのニーズが様々であることが考えられる。
【００４６】
例えば、ユーザが静止画を撮影する際に、デジタルカメラ１のグリップ１０１周りでシャッタボタン３７０以外の操作部材のみロックしたい場合が考えられる。例えば、ユーザがグリップ１０１を片手で持ちながら移動と撮影とを繰り返すとき等に、グリップ１０１の周りの操作部材を意図せず押すような誤操作が想定される。
【００４７】
又、デジタルカメラ１を用いた動画の撮影時に、グリップ１０１周りに限らず動画ボタン３８１，３８２以外のあらゆる操作部材をロックしたい場合も考えられる。例えば、動画を撮影するチームにおいて、監督が所望の動画画質などの設定をデジタルカメラ１に行った状態で、助手に撮影開始の操作をさせる際に、助手が誤って画質を変えてしまうような誤操作を予防したい場合が想定される。
【００４８】
さらに、デジタルカメラ１の撮影に様々な機材を用いる際に、各種機材の取り付け位置などに応じて特定の箇所の操作部材をロックしたい場合も考えられる。例えば、デジタルカメラ１が、ドローン又はジンバル等に搭載されたり、カメラリグ又は他の機材が装着されたりする際に、デジタルカメラ１が各種機材に保持される箇所近傍における接触による誤操作が想定される。
【００４９】
こうした種々の撮影状況にわたる多様なニーズに応えるべく、本実施形態では、操作ロック機能においてロック状態に設定可能な操作部材を拡充し、各操作部材を個別にロック状態とするか否かを設定するパターン即ちロックパターンをデジタルカメラ１に持たせる。本実施形態のデジタルカメラ１の動作の詳細を以下説明する。
【００５０】
２−１．操作ロック機能のロックパターン
本実施形態のデジタルカメラ１における操作ロック機能及びロックパターンについて、図５を用いて説明する。
【００５１】
図５は、本実施形態におけるロックパターン情報Ｄ１を説明するための図である。ロックパターン情報Ｄ１は、デジタルカメラ１において１つ又は複数のロックパターンを管理する情報であり、例えばカメラ本体１００のフラッシュメモリ１４２に格納される。
【００５２】
図５に例示するロックパターン情報Ｄ１は、例えば各ロックパターンにおいて個々の対象部材が「ロック」又は「アンロック」に設定された状態を管理する。対象部材は、操作ロック機能において設定の対象とする個別の操作部材である。「ロック」は、操作ロック機能の有効時にロック状態に設定する対象すなわちロック対象である設定状態を示す。「アンロック」は、操作ロック機能が有効の有効時であってもロック状態に設定しない対象すなわちアンロック対象である設定状態を示す。
【００５３】
本実施形態の操作ロック機能では、デジタルカメラ１の操作部１３０における物理的な各種操作部材が、基本的には各々別個の対象部材を構成する。例えば、タッチパネル３００は、１つの対象部材である。又、複数の動画ボタン３８１，３８２は、同一の機能を有するが互いに別の対象部材である。複数の物理的なＦｎボタン３４１〜３４３も、それぞれ別の対象部材である。
【００５４】
なお、選択キー３１０は、各種方向の方向ボタン３１１及びＳＥＴボタン３１２を含むが、これらを個別には扱わず、１つの対象部材を構成する。一方、コントロールホイール３１３は、選択キー３１０とは別の対象部材である。ジョイスティック３１５は、選択キー３１０と同様に、複数の操作手段を含むが１つの対象部材を構成する。仮想的なＦｎボタン４０は、特に別個の対象部材を構成せず、例えばタッチパネル３００のロック状態により各Ｆｎボタン４０へのタッチ操作は一括して無効となり得る。
【００５５】
例えば、図５に例示するロックパターン情報Ｄ１では、パターン１は、静止画撮影用として、グリップ１０１周りの操作部材をロック対象に設定し、その他をアンロック対象に設定する。パターン２は、動画撮影用として、動画ボタン３８１，３８２以外の全ての操作部材をロック対象に設定する。パターン３は、特定の機材（例えばドローン）を用いた撮影用として、デジタルカメラ１の前面側の動画ボタン３８２等の特定の操作部材のみロック対象に設定する。
【００５６】
本実施形態では、操作ロック機能の対象部材が多数あることから、ユーザが所望の対象部材の設定を確認し難くなる事態が想定される。そこで、本実施形態のデジタルカメラ１では、多数の対象部材からユーザが所望の対象部材を見つけてロック／アンロック対象の設定を確認し易いユーザインタフェースを提供する（図９〜１１参照）。
【００５７】
本実施形態において、操作ロック機能の対象部材は外部機器を含んでもよい。図５の例のデジタルカメラ１では、交換レンズ２００が対象部材として管理されている。これにより、カメラ本体１００の外部機器である交換レンズ２００の誤操作も抑制することができる。本実施形態では、例えばロックパターン情報Ｄ１のように、操作ロック機能に関する交換レンズ２００の設定情報が、カメラ本体１００側のフラッシュメモリ１４２等に格納される。
【００５８】
これにより、例えば交換レンズ２００を１台目のカメラ本体１００から２台目のカメラ本体１００に付け替えた際に、１台目における操作ロック機能の設定が交換レンズ２００に残ることなく、２台目のカメラ本体１００で交換レンズ２００を使用できる。このため、１台目で交換レンズ２００をロック対象に設定したとしても、２台目で用いる際に交換レンズ２００が意図せずロック状態となるような事態を抑制でき、外部機器に関する操作ロック機能を利用し易くすることができる。
【００５９】
本実施形態の操作ロック機能においては、外部機器である交換レンズ２００中の各種リング２１２，２２２等の操作部材を別々に扱うのではなく、交換レンズ２００全体を１つの対象部材として扱う。これにより、例えばカメラ本体１００において種々の交換レンズ２００の設定を一括で管理でき、上記のような操作ロック機能を実現し易くできる。
【００６０】
本実施形態においては、デジタルカメラ１における一部の操作部材が、操作ロック機能の対象から外されてもよい。例えば、操作状態を物理的に示すような操作部材は、操作ロック機能の対象外であってもよい。例えば、操作ロック機能の対象部材ではない操作部材は、ロックレバー３６０、フォーカスレバー３６１、レンズ取り外しボタン３７２、各種モードダイヤル３５１〜３５３及び電源スイッチ等であってもよい。また、シャッタボタン３７０は、操作ロック機能の対象部材でなくてもよいし、対象部材であってもよい。
【００６１】
２−２．ロックパターンの選択動作
以上のような様々なロックパターンから、操作ロック機能に適用するためのロックパターンを選択するデジタルカメラ１の動作の一例を、図６〜７を用いて説明する。以下では、デジタルカメラ１の設定メニューを用いた動作例を説明する。
【００６２】
図６は、デジタルカメラ１におけるロックパターンの選択動作を説明するためのフローチャートである。図７は、本実施形態におけるロックパターンの選択動作の表示例を示す図である。
【００６３】
図６に示すフローチャートの処理は、例えば、図７（Ａ）に例示するようなメニュー画面において特定のメニュー項目「ロックレバー設定」を選択するユーザ操作が入力されたときに開始される。本フローの処理は、例えば、デジタルカメラ１においてロックパターン情報Ｄ１が格納された状態で、カメラ制御部１４０によって実行される。
【００６４】
まず、カメラ制御部１４０は、ロックパターンを選択するユーザ操作の入力に応じて、選択結果のロックパターンを取得する（Ｓ１）。例えば、カメラ制御部１４０は、図７（Ａ）から図７（Ｂ）に例示するパターン選択画面に表示モニタ１２０を遷移させて、パターン選択画面に関する種々のユーザ操作を、各種操作部１３０を介して受け付ける。パターン選択画面は、予め設定された複数のロックパターンを選択肢として１つのロックパターンを選択するための設定画面である。
【００６５】
図７（Ｂ）に例示するパターン選択画面は、「パターン１」ないし「パターン３」といった複数のロックパターンの選択肢Ｎ（Ｎ＝１〜３）と、名称変更ボタン４１と、編集ボタン４２とを含む。名称変更ボタン４１は、「パターン１」などの名称を変更するためのユーザ操作を受け付ける。編集ボタン４２は、各選択肢Ｎにおけるロックパターンの内容を変更するためのユーザ操作を受け付ける。
【００６６】
ユーザは、例えば選択キー３１０若しくはジョイスティック３１５の操作又はタッチパネル３００のタッチ操作により、図７（Ｂ）に例示するようなフォーカス領域Ｒ１を、複数の選択肢パターンＮ間で移動できる。フォーカス領域Ｒ１は、メニュー画面上で決定などの操作対象を強調表示する領域である。
【００６７】
ユーザが所望の選択肢Ｎにフォーカス領域Ｒ１を合わせた状態で決定するように選択キー３１０のＳＥＴボタン３１２等を操作すると、カメラ制御部１４０は、例えば予めフラッシュメモリ１４２に格納されたロックパターン情報Ｄ１から、フォーカス領域Ｒ１に対応するロックパターンを選択結果として取得する（Ｓ１）。ステップＳ１で用いられる各種操作部１３０は、本実施形態の選択部の一例である。
【００６８】
次に、カメラ制御部１４０は、選択したロックパターンが操作ロック機能の有効時に適用されるように、当該ロックパターンをデジタルカメラ１に設定する（Ｓ２）。例えば、カメラ制御部１４０は、フラッシュメモリ１４２においてロックレバー３６０に関する設定情報に、選択されたロックパターンを示す情報を格納する。
【００６９】
カメラ制御部１４０は、選択したロックパターンの設定（Ｓ２）後、例えば表示モニタ１２０の画面表示を、図７（Ｂ）から図７（Ａ）に戻して、本フローの処理を終了する。
【００７０】
以上のロックパターンの選択動作によると、例えば設定メニューにおいて、複数のロックパターンの選択肢Ｎの中から、ユーザは所望のロックパターンを選択することができる（Ｓ１）。これにより、各種の撮影状況に応じて操作ロック機能を使い易くすることができる。
【００７１】
２−２−１．ロックパターンの詳細設定
本実施形態のデジタルカメラ１において、操作ロック機能のロックパターンは、ユーザの操作により対象部材毎に設定を変更（つまり編集）可能である。上記のステップＳ１において、図７（Ｂ）の例の編集ボタン４２の操作が入力された場合にカメラ制御部１４０が実行する処理について、図８〜１１を用いて説明する。
【００７２】
図８は、本実施形態におけるロックパターンの編集動作を説明するためのフローチャートである。図９〜１１は、ロックパターンの詳細画面の第１〜第３の表示例を示す。
【００７３】
まず、カメラ制御部１４０は、表示モニタ１２０に、ロックパターンの詳細画面を表示させる（Ｓ１１）。ロックパターンの詳細画面は、例えば編集中のロックパターンにおいて、各対象部材の設定を確認したり変更したりするための設定画面である。ステップＳ１１の表示例を、図９に例示する。
【００７４】
図９に例示するように、ロックパターンの詳細画面は、各対象部材がロック対象であるか否かの状態を示す複数のロック対象マーカＭ１と、デジタルカメラ１の外観を示すカメラ図Ｍ１０と、登録ボタン４３等とを含む。こうしたステップＳ１１の表示画面によると、ユーザは、カメラ図Ｍ１０に関連付けて配置されたロック対象マーカＭ１により、デジタルカメラ１における各所の対象部材の設定がロック対象又はアンロック対象であることを容易に確認できる。ステップＳ１１の表示画面の詳細については後述する。
【００７５】
カメラ制御部１４０は、例えば図９に示したような表示画面に関する種々のユーザ操作を、各種操作部１３０を介して受け付ける（Ｓ１２）。カメラ制御部１４０は、入力されたユーザ操作が、決定の操作か否かを判断する（Ｓ１３）。決定の操作は、例えば登録ボタン４３のタッチ操作またはＱボタン３３１の押下操作である。
【００７６】
例えば、ユーザがロック対象マーカＭ１の状態を変更する操作を入力すると、カメラ制御部１４０は、決定の操作でないと判断して（Ｓ１３でＮＯ）、入力された操作に応じて表示モニタ１２０の画面表示を更新し、ステップＳ１２に戻る。ユーザは、例えば、各ロック対象マーカＭ１が所望の設定で表示された状態で、ロックパターンの編集を完了するために、上記のような決定の操作を入力できる。なお、戻るボタン４５のタッチ操作などキャンセルのためのユーザ操作が入力されると、カメラ制御部１４０は、表示モニタ１２０の画面表示を上位の階層の画面に遷移させて本フローの処理を終了する。
【００７７】
カメラ制御部１４０は、決定の操作が入力されたとき（Ｓ１３でＹＥＳ）、ロック対象マーカＭ１の状態に基づいて、編集結果のロックパターンをフラッシュメモリ１４２等に登録する（Ｓ１４）。例えば、カメラ制御部１４０は、フラッシュメモリ１４２に格納されたロックパターン情報Ｄ１において、ステップＳ１１で選択されたパターンを、編集結果のロックパターンに更新する。
【００７８】
カメラ制御部１４０は、ロックパターンの登録（Ｓ１４）後に、例えばパターン選択画面などの上位のメニュー画面に表示モニタ１２０の画面表示を戻して、本フローチャートに示す処理を終了する。
【００７９】
以上の処理によると、ロックパターンの詳細画面（Ｓ１１）において、ユーザは操作ロック機能の対象部材毎に、ロック／アンロック対象を設定して（Ｓ１２）、所望のロックパターンを得ることができる。ステップＳ１１の表示画面の詳細について図９〜１１を用いて説明する。
【００８０】
ロックパターンの詳細画面は、図９〜１１に示すように、カメラ図Ｍ１０、複数のロック対象マーカＭ１、登録ボタン４３、次頁ボタン４４及び戻るボタン４５を含む。
【００８１】
カメラ図Ｍ１０は、例えばデジタルカメラ１又はカメラ本体１００の背面図、上面図或いは前面図といった外観を示す図であり、操作ロック機能における各種の対象部材の位置を含む。カメラ図Ｍ１０は、線図などの模式図であってもよいし、撮像画像などの画像であってもよい。
【００８２】
複数のロック対象マーカＭ１は、それぞれ操作ロック機能の対象部材と対応付けて設けられる。ロック対象マーカＭ１は、カメラ図Ｍ１０において、対応する操作部材の位置を識別するように表示される位置マーカの一例である。ロック対象マーカＭ１は、ロックアイコンＭ１１と、引き出し線Ｍ１２とを含む。
【００８３】
ロックアイコンＭ１１は、対応する対象部材が、ロック対象またはアンロック対象の何れか一方に設定される状態を示す。ロックアイコンＭ１１は、例えばフォーカス領域Ｒ１を合わせた際に、ロック対象またはアンロック対象を切り替えるユーザ操作を受け付ける。例えば、図９の例において、フォーカス領域Ｒ１を合わせたロックアイコンＭ１１は、対応する対象部材である後ダイヤル３２１（図２参照）が、ロック対象に設定される状態を示す（図３参照）。一方、その下に配置されたロックアイコンＭ１１は、ジョイスティック３１５がアンロック対象に設定された状態を示す。
【００８４】
引き出し線Ｍ１２は、カメラ図Ｍ１０において各ロック対象マーカＭ１に対応する対象部材の位置と、ロックアイコンＭ１１とを繋ぐように設けられる。引き出し線Ｍ１２は、例えばフォーカス領域Ｒ１を合わせる前から表示されている。ユーザは、例えばカメラ図Ｍ１０において所望の対象部材の位置から延びる引き出し線Ｍ１２を辿って特定のロックアイコンＭ１１を視認することにより、ロック対象マーカＭ１により所望の対象部材の設定確認及び変更を容易に行うことができる。
【００８５】
本実施形態のデジタルカメラ１においては、操作ロック機能の対象部材が多数あることから、ロックパターンの詳細画面は、複数頁あってもよい。図１０の画面では、カメラ本体１００の前面のカメラ図Ｍ１０により、前面にある対象部材のロック対象マーカＭ１が表示される。図１１の画面では、カメラ本体１００の外部機器の交換レンズ２００を対象部材とするロック対象マーカＭ１が表示される。各画面のロック対象マーカＭ１により、ユーザは所望の対象部材について操作ロック機能の設定を行える。
【００８６】
以上のようなロックパターンの詳細画面が表示された状態（Ｓ１１）で、ユーザが選択キー３１０（又はジョイスティック３１５）を上下方向に操作すると、カメラ制御部１４０は、フォーカス領域Ｒ１をロックアイコンＭ１１間で移動させる（Ｓ１２〜Ｓ１３）。こうしたフォーカス領域Ｒ１の移動は、ロックアイコンＭ１１のタッチ操作でも行える。さらに、フォーカス領域Ｒ１を合わせたロックアイコンＭ１１は、ＳＥＴボタン３１２等の操作又はタッチ操作に応じてカメラ制御部１４０により、ロック対象又はアンロック対象にトグルで切り替えられる。
【００８７】
また、次頁ボタン４４のタッチ操作又はＤＩＳＰボタン３３２の操作によると、カメラ制御部１４０は、表示モニタ１２０に表示されるロックパターンの詳細画面を、次頁に遷移させる。また、戻るボタン４５のタッチ操作又はリターンボタン３３３の操作によると、表示モニタの画面表示が、１階層上のメニュー画面に遷移する。
【００８８】
また、デジタルカメラ１には初期値のロックパターンが設けられてもよい。例えば、初期値のロックパターンは、選択キー３１０、ジョイスティック３１５、タッチパネル３００、各種ダイヤル３２０〜３２１及びＤＩＳＰボタン３３２といった特定の対象部材をロック対象に設定し、その他の対象部材をアンロック対象に設定する。例えばメニュー操作においてロックパターンを初期値にリセットするための所定のユーザ操作が設けられてもよく、例えばロックパターンの詳細画面にリセットの操作を受け付ける仮想ボタンが設けられてもよい。
【００８９】
２−３．操作ロック機能の有効化について
以上のようにロックパターンが設定された状態で操作ロック機能を有効にする際のデジタルカメラ１の動作について、以下説明する。
【００９０】
２−３−１．操作ロック機能の切替処理
操作ロック機能の無効／有効を切り替える処理について、図１２〜１３を用いて説明する。
【００９１】
図１２は、デジタルカメラ１における操作ロック機能の切替処理を説明するためのフローチャートである。図１３は、操作ロック機能の切替処理における表示例を示す。本フローに示す処理は、ロックレバー３６０がＯＦＦの状態、すなわち操作ロック機能が無効の状態で開始され、例えばカメラ制御部１４０によって実行される。
【００９２】
まず、カメラ制御部１４０は、ロックレバー３６０からの操作信号に基づいて、ロックレバー３６０がＯＮ状態に変更されたか否かを判断する（Ｓ２１）。カメラ制御部１４０は、ロックレバー３６０がＯＦＦ状態であるときに（Ｓ２１でＮＯ）、例えば所定周期でステップＳ２１の判断を繰り返す。このとき、各種操作部材から種々のユーザ操作により操作信号が入力されると、カメラ制御部１４０は、操作信号が示す指示に従った制御を実行する。このように、操作ロック機能が無効なとき、各種ユーザ操作は有効である。
【００９３】
ロックレバー３６０がＯＮ状態に変更されたとき（Ｓ２１でＹＥＳ）、カメラ制御部１４０は、例えば操作ロック機能の有効化についての確認画面を表示モニタ１２０に表示させる（Ｓ２２）。ステップＳ２３における表示例を図１３に示す。
【００９４】
図１３に例示する確認画面は、設定されたロックパターンにおいてロック対象の対象部材のロック対象マーカＭ１と、「次のデバイスをロックします」といったメッセージ６１とを含む。カメラ制御部１４０は、例えばロックレバー３６０のＯＮ状態への変更時から所定期間が経つまで、又はＯＫボタン４６が操作されるまで当該確認画面を表示モニタ１２０に表示させる（Ｓ２２）。その後、表示モニタ１２０の画面表示はスルー画像などを含むライブビュー画面等に戻される。
【００９５】
次に、カメラ制御部１４０は、設定されたロックパターンを参照して、操作ロック機能を有効に設定する（Ｓ２３）。操作ロック機能の有効化（Ｓ２３）によると、ロックパターンにおいてロック対象に設定された各操作部材が、一括してロック状態に制御され、当該操作部材におけるユーザ操作は無効となる。ステップＳ２３において有効化された操作ロック機能による処理（即ち操作ロック処理）については後述する。
【００９６】
その後、カメラ制御部１４０は、ロックレバー３６０からの操作信号に基づいて、ロックレバー３６０がＯＦＦ状態に変更されたか否かを判断する（Ｓ２４）。カメラ制御部１４０は、ロックレバー３６０がＯＮ状態であるときに（Ｓ２４でＮＯ）、例えば所定周期でステップＳ２４の判断を繰り返す。
【００９７】
ロックレバー３６０がＯＦＦ状態に変更されたとき（Ｓ２４でＹＥＳ）、カメラ制御部１４０は、操作ロック機能の設定を無効に戻す（Ｓ２５）。このとき、ロックパターンにおいてロック対象に設定された操作部材についてのロック状態が解除され、当該操作部材におけるユーザ操作が有効となる。
【００９８】
カメラ制御部１４０は、操作ロック機能の無効化（Ｓ２５）後に、本フローに示す処理を終了する。その後、カメラ制御部１４０は、例えば所定周期後にステップＳ２１以降の処理を再び実行する。
【００９９】
以上の処理によると、ロックレバー３６０をＯＦＦ／ＯＮ状態に切り替えるユーザ操作に応じて、ロックパターンにおいてロック対象に設定された操作部材を一括してロック状態とするか否かを制御できる。
【０１００】
上記のステップＳ２２において、ロックレバー３６０のＯＮ時の表示は、特に図１３の確認画面に限らない。例えば、設定されたロックパターンにおいてロック対象の対象部材のロック対象マーカＭ１をさらに含んだ画面表示が行われてもよい。又、ステップＳ２２において、パターン選択画面（図７（Ｂ））と同様の表示が行われてもよく、このときにロックパターンの選択動作（図６）が行われてもよい。また、ステップＳ２２の処理は省略されてもよく、カメラ制御部１４０は、図１３等の画面表示を行わずに、ロック操作機能を有効化してもよい（Ｓ２３）。
【０１０１】
２−３−２．操作ロック処理
図１２のステップＳ２３において有効化された操作ロック機能による操作ロック処理について、図１４〜１５を用いて説明する。
【０１０２】
図１４は、デジタルカメラ１における操作ロック処理を説明するためのフローチャートである。図１５は、操作ロック処理における表示例を示す。本フローに示す処理は、ロックレバー３６０がＯＮ状態であるときに、所定周期で繰り返し実行される。以下では、ソフトウェア的なユーザ操作の無効化によりロック状態を実現する処理例を説明する。
【０１０３】
まず、カメラ制御部１４０は、各種操作部１３０及び外部機器からの操作信号に基づいて、ユーザ操作の入力を検知する（Ｓ３１）。カメラ制御部１４０は、例えば所定周期でステップＳ１１の検知を繰り返す。
【０１０４】
ユーザ操作が入力されると（Ｓ３１でＹＥＳ）、カメラ制御部１４０は、例えばロックパターンに基づいて、受信した操作信号の送信元の操作部材がロック対象であるか否かを判断する（Ｓ３２）。例えば、操作された操作部材が操作ロック機能の対象部材でない場合、および対象部材であってもロックパターンにおいてアンロック対象である場合、カメラ制御部１４０は、ステップＳ３２でＮＯに進む。
【０１０５】
操作された操作部材がロック対象でない場合（Ｓ３２でＮＯ）、カメラ制御部１４０は、操作信号が示すユーザ操作の指示に従った制御を実行する（Ｓ３３）。これにより、ロックパターンにおいてアンロック対象である操作部材におけるユーザ操作は、ロックレバー３６０がＯＮ状態のときも有効となる。
【０１０６】
一方、操作された操作部材がロック状態である場合（Ｓ３２でＹＥＳ）、カメラ制御部１４０は、操作信号が示すユーザ操作の指示を無視する（Ｓ３４）。これにより、ロック対象の操作部材について、入力されたユーザ操作の指示に従った制御は実行されないロック状態を実現し、当該ユーザ操作を無効化することができる。
【０１０７】
さらに、カメラ制御部１４０は、ロック状態であることを注意喚起するための情報を表示するように表示モニタ１２０を制御する（Ｓ３５）。ステップＳ３５における表示例を図１５に例示する。
【０１０８】
図１５の表示例において、表示モニタ１２０は、例えばステップＳ３５前から表示されたライブビュー画面において、ステップＳ３５における制御により「ロックレバー」という注意メッセージ６２を表示する。この注意メッセージ６２により、ユーザは、誤操作でなく実際に操作を入力するためには、ロックレバー３６０を操作することで入力可能となることが把握できる。
【０１０９】
カメラ制御部１４０は、例えば注意メッセージ６２を所定期間だけ表示させて（Ｓ３５）、本フローに示す処理を終了する。又、カメラ制御部１４０は、ユーザ操作に従った制御を実行した場合（Ｓ３３）も、本フローの処理を終了する。こうした処理の終了後、カメラ制御部１４０は、例えば所定周期後にロックレバー３６０がＯＮ状態であれば再度ステップＳ３１以降の処理を実行する。
【０１１０】
以上の操作ロック処理によると、予め設定されたロックパターンに基づいて、ロック対象の操作部材が一括してロック状態に制御され、そのユーザ操作を無効化できる。これにより、操作ロック機能の対象部材の誤操作を抑制することができる。
【０１１１】
３．効果等
以上のように、本実施形態の撮像装置の一例であるデジタルカメラ１及びカメラ本体１００は、それぞれ撮像部の一例の画像センサ１１０と、操作部１３０等の複数の操作部材と、選択部の一例の選択キー３１０等と、制御部の一例のカメラ制御部１４０とを備える。画像センサ１１０は、被写体像を撮像して画像データを生成する。複数の操作部材は、ユーザ操作をそれぞれ入力する。選択部は、各操作部材が、ユーザ操作を無効とするロック状態に設定される対象（即ちロック対象）か否かの組み合わせをそれぞれ示す複数のパターン（即ちロックパターン）の中から、一のパターンを選択する。カメラ制御部１４０は、選択部によって選択されたパターンに基づいて、複数の操作部材においてロック状態の操作部材ではユーザ操作を受け付けず、ロック状態ではない操作部材ではユーザ操作を受け付けるロック機能（即ち操作ロック機能）を制御する。
【０１１２】
以上の撮像装置によると、種々の操作部材におけるロック状態が、選択されたパターンに応じて制御され、操作ロック機能において種々の状況における誤操作の抑制を行い易くすることができる。
【０１１３】
本実施形態において、撮像装置は、複数の操作部材の一部が設けられたグリップ１０１をさらに備える。複数のパターンは、グリップに設けられた操作部材がロック状態に設定されるパターン１（第１パターン）と、第１パターンよりも多くの操作部材がロック状態に設定されるパターン２（第２パターン）とを含む。これにより、例えば静止画撮影時にはパターン１を用いてグリップ１０１周りの操作部材をロックし、動画撮影時にはパターン２を用いて更なる操作部材をロックするなどの使い分けができ、種々の状況における誤操作の抑制を行い易くすることができる。
【０１１４】
本実施形態において、撮像装置は、操作ロック機能の有効又は無効を切り替えるロック部材の一例のロックレバー３６０をさらに備える。カメラ制御部１４０は、ロックレバー３６０によってロック機能が有効に切り替えられたときに（Ｓ２１でＹＥＳ）、選択されたパターンにおいて対象とする操作部材を一括してロック状態に設定する（Ｓ２３）。これにより、ロックパターンでロック対象に設定された操作部材のロック状態を簡単に得られる。
【０１１５】
本実施形態において、撮像装置は、情報を格納する記憶部の一例のフラッシュメモリ１４２をさらに備える。カメラ制御部１４０は、複数の操作部材における個々の操作部材がロック状態に設定されるか否かを指示するユーザ操作を受け付けて、当該ユーザ操作に応じたパターンを記憶部に記録する（図８）。これにより、ユーザは所望の操作部材をロック／アンロック対象に設定したロックパターンを得られ、操作ロック機能を利用し易くできる。
【０１１６】
本実施形態において、撮像装置は、情報を表示する表示部の一例の表示モニタ１２０をさらに備える。カメラ制御部１４０は、自装置において複数の操作部材が配置された各々の位置の識別表示を示す複数の位置マーカの一例であるロック対象マーカＭ１を表示するように表示モニタ１２０を制御し（Ｓ１１）、複数のロック対象マーカＭ１から特定のロック対象マーカＭ１を選択するユーザ操作に基づき、選択されたロック対象マーカＭ１に対応する操作部材がロック状態に設定される対象か否かを切り替える（Ｓ１２）。ロック対象マーカＭ１によると、ユーザは対象部材の位置とロック／アンロック対象の設定とを確認しながらロックパターンを設定でき、操作ロック機能により誤操作の抑制を行う設定を行い易くすることができる。
【０１１７】
本実施形態において、撮像装置は、設定画面を表示する表示モニタ１２０をさらに備える。選択キー１３０等の選択部は、複数のパターンに対応する複数の選択肢を含む設定画面が表示モニタ１２０に表示された状態（図７（Ａ））で入力されるユーザ操作に応じて、一のパターンを選択する（Ｓ１）。設定メニューにおいて予め用意された複数のロックパターンから所望のロックパターンを選択でき、予め想定される各種の状況における誤操作の抑制を行い易くできる。
【０１１８】
本実施形態において、撮像装置の一例のカメラ本体１００は、１つ以上の操作部材を備えた外部機器の一例の交換レンズ１００を装着可能である。操作ロック機能のパターンすなわちロックパターンは、外部機器毎の操作部材を一括してロック状態に設定される対象か否かを示してもよい（図５参照）。例えば、交換レンズ２００の各種操作部材は、一括してロック／アンロック対象として管理されてもよい。
【０１１９】
本実施形態において、複数の操作部材は、動画撮影を指示する複数の動画ボタン３８１，３８２を含む。ロックパターンは、各動画ボタン３８１，３８２が個別にロック状態に設定される対象か否かを示す。これにより、動画ボタン３８１，３８２の中でも取り付け位置等に応じてロックしたい動画ボタンとロックしない動画ボタンとを個別に設定でき、操作ロック機能を利用し易くできる。
【０１２０】
本実施形態において、複数の操作部材は、物理的に設けられた複数のＦｎボタン３４１〜３４３を含む。ロックパターンは、各Ｆｎボタン３４１〜３４３が個別にロック状態に設定される対象か否かを示す。これにより、デジタルカメラ１中の種々の位置に設けられた複数のＦｎボタン３４１〜３４３を個別にロック／アンロック対象に設定でき、操作ロック機能を利用し易くできる。
【０１２１】
本実施形態において、撮像装置は、複数の仮想的なＦｎボタン４０を表示する表示モニタ１２０をさらに備える。カメラ制御部１４０は、複数の操作部材において仮想的なＦｎボタンの操作を入力する操作部材（例えばタッチパネル３００）がロック状態であるか否かに応じて、仮想的なＦｎボタン４０の操作を受け付けるか否かを一括して制御する。これにより、各種Ｆｎボタン３４１〜３４３，４０において物理的に別個のものは個別にロック／アンロック対象の設定が行え、設けられた位置に応じた誤操作の抑制を行い易くすることができる。
【０１２２】
本実施形態において、撮像装置は、被写体像を撮像して画像データを生成する画像センサ１１０と、ユーザ操作をそれぞれ入力する複数の操作部材と、複数の操作部材においてユーザ操作を無効とするロック状態を設定するカメラ制御部１４０と、情報を表示する表示モニタ１２０とを備える。カメラ制御部１４０は、自装置において複数の操作部材が配置された各々の位置の識別表示を示す複数のロック対象マーカＭ１を表示するように表示モニタ１２０を制御し（Ｓ１１）、複数のロック対象マーカＭ１から特定のロック対象マーカＭ１を選択するユーザ操作に基づき、選択されたロック対象マーカＭ１に対応する操作部材がロック状態に設定される対象か否かを切り替える（Ｓ２２）。これによっても、撮像装置において種々の状況における誤操作の抑制を行い易くすることができる。
【０１２３】
本実施形態において、上記の撮像装置は、ロック状態に設定される対象か否かの組み合わせをそれぞれ示す複数のパターンの中から、一のパターンを選択する選択部をさらに備えてもよい。カメラ制御部１４０は、選択部によって選択されたパターンに基づいて、複数の操作部材においてロック状態の操作部材ではユーザ操作を受け付けず、ロック状態ではない操作部材ではユーザ操作を受け付けてもよい。
【０１２４】
（他の実施形態）
以上のように、本出願において開示する技術の例示として、実施形態１を説明した。しかしながら、本開示における技術は、これに限定されず、適宜、変更、置換、付加、省略などを行った実施の形態にも適用可能である。また、上記実施の形態１で説明した各構成要素を組み合わせて、新たな実施の形態とすることも可能である。そこで、以下、他の実施形態を例示する。
【０１２５】
上記の実施形態１では、デジタルカメラ１において設定メニューを用いるロックパターンの選択動作の一例を説明した。ロックパターンは、専用の設定メニューにより選択されなくてもよく、例えばカスタムモード等の動作モードの変更と共に選択されてもよい。この変形例について、図１６を用いて説明する。
【０１２６】
図１６は、デジタルカメラ１におけるロックパターンの選択動作の変形例を説明するための図である。本変形例において、ロックパターンは、例えばユーザ所望の設定に変更可能なカスタムモードに対応付けられる。図１６では、本変形例のロックパターン情報Ｄ１を含むカスタムモード情報Ｄ２を例示している。カスタムモード情報Ｄ２は、撮影メニュー及び動画メニューといった各種の設定を一括して、カスタムモード毎に管理する設定情報である。
【０１２７】
本変形例において、ロックパターン情報Ｄ１は、例えば図１６に示すように、カスタムモード情報Ｄ２に組み込まれる。図１６の例におけるカスタムモード情報Ｄ２では、静止画撮影用のモード１に、上述したパターン１のロックパターンが組み込まれ、動画撮影用のモード２に、上述したパターン２のロックパターンが組み込まれている（図５参照）。
【０１２８】
本変形例におけるロックパターンの選択動作では、図６と同様の処理が、撮影モードダイヤル３５１が操作されたときに開始される。撮影モードダイヤル３５１は、本変形例における選択部の一例である。
【０１２９】
例えば、カメラ制御部１４０は、撮影モードダイヤル３５１において動作モードを切り替える操作に応じて、カスタムモード情報Ｄ２において切り替え後の動作モードに対応するロックパターンを選択する（図６のＳ１）。このとき、カメラ制御部１４０は、カスタムモード情報Ｄ２において切り替え後の動作モードに対応する各種設定をデジタルカメラ１に反映する際に、切り替え後の動作モードにおけるロックレバー３６０の設定として、選択したロックパターンを設定する（Ｓ２）。
【０１３０】
以上のロックパターンの選択動作によると、ユーザが所望の撮影を行うべくデジタルカメラ１の動作モードを特定のカスタムモードに切り替えると同時に、当該カスタムモードに対応するロックパターンが利用可能となる。よって、撮影状況に応じたロックパターンが得られ、操作ロック機能を使い易くすることができる。
【０１３１】
以上のように、本実施形態のデジタルカメラ１において、撮影モードダイヤル３５１などの選択部は、複数のロックパターンにそれぞれ対応付けられた複数の撮影モードの中から一の撮影モードを選択するユーザ操作に応じて、選択された撮影モードに対応付けられたロックパターンを選択する。これによっても、実施形態１と同様に、種々の状況における誤操作の抑制を行い易くすることができる。
【０１３２】
上記の各実施形態では、ロックパターンの編集動作の一例を説明した。ロックパターンの編集動作は、登録済みのロックパターンを用いて新たなロックパターンを編集するように行われてもよい。こうした変形例について、図１７〜１８を用いて説明する。
【０１３３】
図１７は、ロックパターンの編集動作の変形例を説明するための図である。図１８は、本変形例を示すフローチャートである。図１７（Ａ）では、実施形態１と同様のパターン選択画面において、編集元のロックパターンとして「パターン２」が選択された例を示す。
【０１３４】
例えばユーザがフォーカス領域Ｒ１を編集元のロックパターンに合わせた状態で編集ボタン４２又はＱボタン３３１を操作すると、カメラ制御部１４０は、例えばフラッシュメモリ１４２から当該ロックパターンを呼び出して、表示モニタ１２０に表示させる（Ｓ１１）。ステップＳ１１におけるロックパターンの詳細画面の表示例を図１７（Ｂ）に示す。
【０１３５】
カメラ制御部１４０は、ユーザは、上記ロックパターンの詳細画面において呼び出された内容を編集する操作を受け付ける（Ｓ１２）。又、ユーザが、実施形態１と同様にＱボタン３３１又は登録／リセットボタン４３ａの操作を入力すると（Ｓ１３でＹＥＳ）、カメラ制御部１４０は、例えば図１７（Ｃ）に示すような画面表示により、以下の選択肢を選ぶユーザ操作を受け付ける（Ｓ１３ｂ）。ステップＳ１３ｂの選択肢は、（ｉ）現在、編集したロックパターンを登録するか、（ｉｉ）編集したロックパターンをリセットするか、又は（ｉｉｉ）登録済みのロックパターンを呼び出すかの何れかである。
【０１３６】
図１７（Ｃ）においてロックパターンの登録が選択された場合（Ｓ１３ｂで（ｉ））に遷移する表示モニタ１２０の表示例を図１７（Ｄ）に示す。本変形例では、カメラ制御部１４０は、ロックパターンを登録する（Ｓ１４）際に、例えば図１７（Ｄ）に示すように、ロックパターンの登録先を選択するユーザ操作を受け付ける。図１７（Ａ）〜（Ｄ）の例では、編集元の「パターン２」とは別の「パターン３」が、登録先として選択されている。このように、本変形例のデジタルカメラ１によると、登録済みのロックパターンに基づいて新たなロックパターンを別途、登録することができる。
【０１３７】
一方、ステップＳ１３ｂで（ｉｉ）リセットが選択された場合、カメラ制御部１４０は、例えば編集元のロックパターンを初期値のロックパターンにリセットして（Ｓ１３ｃ）、本フローに示す処理を終了する。又、ステップＳ１３ｂで（ｉｉｉ）呼び出しが選択された場合、カメラ制御部１４０は、例えば図１７（Ａ）と同様に呼び出す対象のロックパターンを選択するユーザ操作を受け付けて、呼び出したロックパターンに基づきステップＳ１１以降の処理を再び行う。
【０１３８】
以上のように、本実施形態のデジタルカメラ１において、カメラ制御部１４０は、フラッシュメモリ１４２等の記憶部に格納されたロックパターンから別のロックパターンを編集する操作、及び編集中のロックパターンを所定のパターンにリセットする操作を受け付ける。これにより、デジタルカメラ１において様々なロックパターンを設定し易くして、操作ロック機能を使い易くすることができる。
【０１３９】
上記の各実施形態では、操作ロック機能における対象部材となる外部機器の一例として交換レンズ２００を例示した。本実施形態のデジタルカメラ１において、操作ロック機能の対象部材となる外部機器は、交換レンズ２００に限らず、例えば各種の外部アクセサリであってもよい。例えば、デジタルカメラ１に装着可能なバッテリグリップ、外部フラッシュ装置、外付けファインダ、及びＸＬＲ端子マイクユニットなどが、それぞれ対象部材として管理されてもよい。この場合のロックパターンは、上記の様な各種の外部機器に関して、外部機器の種別毎に、当該外部機器に含まれる操作部材を一括してロック状態に設定される対象か否かを示す。
【０１４０】
上記の各実施形態では、操作ロック機能の対象部材の識別表示を示す位置マーカの一例としてロック対象マーカＭ１を例示した。本実施形態において、位置マーカは上記に限らず、例えば、デジタルカメラ１が表示モニタ１２０に表示するカメラ図Ｍ１０において、操作ロック機能の対象部材を所定の色で強調表示することにより位置マーカが実現されてもよい。例えば、カメラ図Ｍ１０において、ロック対象の操作部材とアンロック対象の操作部材とが互いに別の色で強調表示され、当該箇所のタッチ操作等によりロック／アンロック対象がトグルで切り替えられてもよい。
【０１４１】
上記の各実施形態では、操作部材のロック状態をソフトウェア的に実現する例を説明した。本実施形態において、ロック状態は上記に限らず、例えば電気的又は機械的に実現されてもよく、例えばロック対象の操作部材に対する通電がオフされてもよい。
【０１４２】
また、上記の各実施形態では、撮像装置の一例としてレンズ交換式のデジタルカメラについて説明したが、本実施形態の撮像装置は、特にレンズ交換式ではないデジタルカメラであってもよい。また、本開示の思想は、デジタルカメラのみならず、ムービーカメラであってもよいし、カメラ付きの携帯電話或いはＰＣのような種々の撮像機能を有する電子機器にも適用可能である。
【０１４３】
以上のように、本開示における技術の例示として、実施の形態を説明した。そのために、添付図面および詳細な説明を提供した。
【０１４４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１４５】
また、上述の実施の形態は、本開示における技術を例示するためのものであるから、特許請求の範囲またはその均等の範囲において種々の変更、置換、付加、省略などを行うことができる。
【産業上の利用可能性】
【０１４６】
本開示は、操作部材に対するユーザ操作を無効にする操作ロック機能を有する種々の撮像装置に適用可能である。
【符号の説明】
【０１４７】
１    デジタルカメラ
１００    カメラ本体
１２０    表示モニタ
１３０    操作部
３１０    選択キー
３５１    撮影モードダイヤル
３６０    ロックレバー
１４０    カメラ制御部
２００    交換レンズ
【要約】
【課題】種々の状況における誤操作の抑制を行い易くすることができる撮像装置を提供する。
【解決手段】撮像装置（１，１００）は、被写体像を撮像して画像データを生成する撮像部（１１０）と、ユーザ操作をそれぞれ入力する複数の操作部材（１３０）と、複数の操作部材においてユーザ操作を無効とするロック状態を設定する制御部（１４０）と、情報を表示する表示部（１２０）とを備える。制御部は、自装置において複数の操作部材が配置された各々の位置の識別表示を示す複数の位置マーカ（Ｍ１）を表示するように表示部を制御し、複数の位置マーカから特定の位置マーカを選択するユーザ操作に基づき、選択された位置マーカに対応する操作部材がロック状態に設定される対象か否かを切り替える。
【選択図】図９【図１】
0006941806.tif 000002
【図２】
0006941806.tif 000003
【図３】
0006941806.tif 000004
【図４】
0006941806.tif 000005
【図５】
0006941806.tif 000006
【図６】
0006941806.tif 000007
【図７】
0006941806.tif 000008
【図８】
0006941806.tif 000009
【図９】
0006941806.tif 000010
【図１０】
0006941806.tif 000011
【図１１】
0006941806.tif 000012
【図１２】
0006941806.tif 000013
【図１３】
0006941806.tif 000014
【図１４】
0006941806.tif 000015
【図１５】
0006941806.tif 000016
【図１６】
0006941806.tif 000017
【図１７】
0006941806.tif 000018
【図１８】
0006941806.tif 000019